(57)【特許請求の範囲】
【請求項１】
天井設置の空調室内機であって、
下面に吸込口（２０ａ）と吹出口（２０ｂ）とを有する本体（２０）と、
前記吸込口（２０ａ）から前記本体（２０）内部へ通じる吸込流路（３１ａ）と、
前記本体（２０）内部から前記吹出口（２０ｂ）へ通じる吹出流路（４１ａ，５１ａ）と、
前記吸込流路（３１ａ）を横切って配置され前記吸込口（２０ａ）から流入する空気に含まれる塵埃を除去するフィルタ（９）と、
前記空気の進路上で前記フィルタ（９）よりも下流側に配置される室内熱交換器（１２）と、
前記フィルタ（９）を清掃するときに前記フィルタ（９）を移動させるフィルタ駆動部（１０２）と、
前記フィルタ（９）に付着した前記塵埃を前記フィルタ（９）から脱離させる清掃部材（１０８）と、
前記室内熱交換器（１２）の下方で前記吸込流路（３１ａ）と前記吹出流路（４１ａ，５１ａ）との間に位置し、移動して来る前記フィルタ（９）を一時的に収納するフィルタ収納部（１０６）と、
を備え、
前記フィルタ収納部（１０６）は、移動して来る前記フィルタ（９）を内部へ導いて留める収納経路（１０６ａ）を含み、
前記収納経路（１０６ａ）は下方に湾曲する部分を有している、
空調室内機（２）。
【請求項２】
前記本体（２０）は、上部本体（２６）と下部本体（２８）とをさらに有し、
前記下部本体（２８）には、前記吸込口（２０ａ）及び前記吹出口（２０ｂ）の輪郭を形成する下面パネル（２１）が含まれる、
請求項１に記載の空調室内機（２）。
【請求項３】
前記フィルタ（９）から脱離した前記塵埃を貯めるダストボックス（１０９）をさらに備え、
前記フィルタ（９）は前記ダストボックス（１０９）の上方に位置する、
請求項１に記載の空調室内機（２）。
【請求項４】
通常前記フィルタ（９）を前記吸込流路（３１ａ）内に支持するフィルタ常設部（１０５）をさらに備え、
前記フィルタ常設部（１０５）は直線状に形成され、
前記フィルタ常設部（１０５）の端部に前記清掃部材（１０８）が配置されている、
請求項１に記載の空調室内機（２）。
【請求項５】
前記吸込流路（３１ａ）を通過する空気と熱交換を行う室内熱交換器（１２）と、
前記室内熱交換器（１２）の下方に位置し前記室内熱交換器（１２）で結露した水を受けるドレンパン（１４）をさらに備え、
前記フィルタ収納部（１０６）が前記ドレンパン（１４）の下方に位置する、
請求項１に記載の空調室内機（２）。
【請求項６】
前記フィルタ駆動部（１０２）は、前記フィルタ（９）の一部と噛み合って前記フィルタ（９）を前記収納経路（１０６ａ）へ繰り出すための歯車（１０２ａ）を有し、
前記収納経路（１０６ａ）は、前記歯車（１０２ａ）によって繰り出された直後の前記フィルタ（９）を前記歯車（１０２ａ）の中心に近づく方向へ湾曲させる第１湾曲領域（１０６ｂ）を有する、
請求項１に記載の空調室内機（２）。
【請求項７】
前記収納経路（１０６ａ）は、前記第１湾曲領域（１０６ｂ）の湾曲方向と反対方向へ前記フィルタ（９）を湾曲させる第２湾曲領域（１０６ｃ）をさらに有する、
請求項６に記載の空調室内機（２）。
【請求項８】
前記歯車（１０２ａ）は前記フィルタ（９）の上方に位置する、
請求項７に記載の空調室内機（２）。
【発明の詳細な説明】
【技術分野】
【０００１】
本発明は、天井設置の空調室内機に関し、特に、フィルタの清掃機能を有する空調室内機に関する。
【背景技術】
【０００２】
天井設置の空調室内機の分野では、フィルタ清掃の手間を省くために、フィルタ清掃機構を備えたものが普及している。（例えば、特許文献１参照）。特許文献１に記載の空調室内機は、ブラシによってフィルタから除去された塵埃をダストボックスに貯えるタイプであって、使用者は、適切な時期に昇降部を介して、ダストボックスを本体から降下させ、内部に貯えられた塵埃を捨てる。
【０００３】
しかしながら、特許文献１に記載のフィルタ清掃機構は、ブラシ及びダストボックスを水平方向へ移動させてフィルタの清掃を行なうので、フィルタの下方にブラシ及びダストボックスの移動機構が必要となり、空調室内機の本体が大型化する。
【特許文献１】特開２００７−４０６８９号公報
【発明の開示】
【発明が解決しようとする課題】
【０００４】
本発明の課題は、フィルタ清掃機構を備え、且つ本体の大型化を抑制した天井設置の空調室内機を提供することにある。
【課題を解決するための手段】
【０００５】
第１発明に係る空調室内機は、天井設置の空調室内機であって、本体と、吸込流路と、吹出流路と、フィルタと、室内熱交換器と、フィルタ駆動部と、清掃部材と、フィルタ収納部とを備えている。本体は、下面に吸込口と吹出口とを有する。吸込流路は、吸込口から本体内部へ通じる。吹出流路は、本体内部から吹出口へ通じる。フィルタは、吸込流路を横切って配置され吸込口から流入する空気に含まれる塵埃を除去する。室内熱交換器は、空気の進路上でフィルタよりも下流側に配置される。フィルタ駆動部は、フィルタを清掃するときにフィルタを移動させる。清掃部材は、フィルタに付着した塵埃をフィルタから脱離させる。フィルタ収納部は、室内熱交換器の下方で吸込流路と吹出流路との間に位置し、移動して来るフィルタを一時的に収納する。また、フィルタ収納部は、移動して来るフィルタを内部へ導いて留める収納経路を含んでいる。この収納経路は、下方に湾曲する部分を有している。
【０００６】
この空調室内機では、吸込口と吹出口とは、吹出口から出た空気が吸込口に吸い込まれないように所定距離を隔てて配置されており、吸込流路と吹出流路との間には必然的に未使用空間が形成される。その未使用空間がフィルタの一時収納場所として使用されるので、フィルタの収納場所を確保するために、本体の形状を大きくしたり、或は吸込口を小さくしたりする必要がない。また、収納経路が湾曲することによって収納経路の展開距離が長くなり、全長の長いフィルタを収納することができる。
【０００７】
第２発明に係る空調室内機は、第１発明に係る空調室内機であって、本体が、上部本体と下部本体とをさらに有する。下部本体には、吸込口及び吹出口の輪郭を形成する下面パネルが含まれている。
【０００８】
この空調室内機では、下面パネル上に、フィルタ駆動部、清掃部材及びフィルタ収納部を集積することが可能なり、組立性が向上する。
【０００９】
第３発明に係る空調室内機は、第１発明に係る空調室内機であって、ダストボックスをさらに備えている。ダストボックスは、フィルタから脱離した塵埃を貯める。フィルタは、そのダストボックスの上方に位置する。
【００１０】
この空調室内機では、例えば、ダストボックスの一面が吸込空気をフィルタに向かわせるために利用されることが可能となる。
【００１１】
第４発明に係る空調室内機は、第１発明に係る空調室内機であって、フィルタを吸込流路内に支持するフィルタ常設部をさらに備えている。フィルタ常設部は直線状に形成され、フィルタ常設部の端部に清掃部材が配置されている。
【００１２】
この空調室内機では、フィルタは、フィルタ常設部によって直線状に矯正されるので、フィルタの波うちが防止され、清掃部材が確実にフィルタを清掃することができる。
【００１３】
第５発明に係る空調室内機は、第１発明に係る空調室内機であって、室内熱交換器と、ドレンパンとをさらに備えている。室内熱交換器は、吸込流路を通過する空気と熱交換を行う。ドレンパンは、室内熱交換器の下方に位置し室内熱交換器で結露した水を受ける。そして、フィルタ収納部は、ドレンパンの下方に位置する。
【００１４】
この空調室内機では、結露水によるフィルタ収納部の汚れが防止されるので、フィルタ収納部がフィルタを収納したときに、フィルタを汚すことが防止される。
【００１５】
第６発明に係る空調室内機は、第１発明に係る空調室内機であって、フィルタ駆動部が、フィルタの一部と噛み合ってフィルタを収納経路へ繰り出すための歯車を有している。収納経路は、歯車によって繰り出された直後のフィルタを歯車の中心に近づく方向へ湾曲させる第１湾曲領域を有している。
【００１６】
この空調室内機では、フィルタが第１湾曲領域を通過することによって、フィルタと歯車との噛み合い率が増加するので、フィルタと歯車との間で歯飛びが起こり難く、フィルタ駆動部の動力が確実にフィルタへ伝達される。
【００１７】
第７発明に係る空調室内機は、第６発明に係る空調室内機であって、収納経路は、第１湾曲領域の湾曲方向と反対方向へフィルタを湾曲させる第２湾曲領域をさらに有している。
【００１８】
この空調室内機では、収納経路の湾曲数が増加することによって収納経路の展開距離がさらに長くなり、全長の長いフィルタを収納することができる。
【００１９】
第８発明に係る空調室内機は、第７発明に係る空調室内機であって、歯車がフィルタの上方に位置している。
【００２０】
この空調室内機では、収納経路の終端である第２湾曲領域の端が下向きとなるので、例えば、収納経路の終端近傍にフィルタの位置検知スイッチが設置される場合には、設置空間が十分に確保される。
【発明の効果】
【００２１】
第１発明に係る空調室内機では、吸込流路と吹出流路との間にある空間がフィルタの一時収納場所として使用されるので、フィルタの収納場所を確保するために、本体の形状を大きくしたり、或は吸込口を小さくしたりする必要がない。また、収納経路が湾曲することによって収納経路の展開距離が長くなり、全長の長いフィルタを収納することができる。
【００２２】
第２発明に係る空調室内機では、下面パネル上に、フィルタ駆動部、清掃部材及びフィルタ収納部を集積することが可能なり、組立性が向上する。
【００２３】
第３発明に係る空調室内機では、ダストボックスの一面が吸込空気をフィルタに向かわせるために利用されることが可能となる。
【００２４】
第４発明に係る空調室内機では、フィルタは、フィルタ常設部によって直線状に矯正されるので、フィルタの波うちが防止され、清掃部材が確実にフィルタを清掃することができる。
【００２５】
第５発明に係る空調室内機では、結露水によるフィルタ収納部の汚れが防止されるので、フィルタ収納部がフィルタを収納したときに、フィルタを汚すことが防止される。
【００２６】
第６発明に係る空調室内機では、フィルタが第１湾曲領域を通過することによって、フィルタと歯車との噛み合い率が増加するので、フィルタと歯車との間で歯飛びが起こり難く、フィルタ駆動部の動力が確実にフィルタへ伝達される。
【００２７】
第７発明に係る空調室内機では、収納経路の湾曲数が増加することによって収納経路の展開距離がさらに長くなり、全長の長いフィルタを収納することができる。
【００２８】
第８発明に係る空調室内機では、収納経路の終端近傍にフィルタの位置検知スイッチが設置される場合には、設置空間が十分に確保される。
【発明を実施するための最良の形態】
【００２９】
以下図面を参照しながら、本発明の実施形態について説明する。なお、以下の実施形態は、本発明の具体例であって、本発明の技術的範囲を限定するものではない。
【００３０】
＜空調室内機２の構成＞
図１は本発明の一実施形態に係る空調室内機の外観斜視図である。図１において、空調室内機２は、下面に吸込口２０ａ及び吹出口２０ｂを有する本体２０と、吸込口２０ａを開閉する可動パネル２４及び吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００３１】
図２（ａ）は、空調室内機の運転停止時の側面図であり、（ｂ）は、その空調室内機の運転時の側面図であり、（ｃ）は、メンテナンス時の側面図である。図２（ａ），（ｂ），（ｃ）において、空調室内機２が停止しているとき、可動パネル２４は化粧パネル２１と見かけ上一体化している。図２（ｂ）において、空調室内機２が稼動するとき、可動パネル２４は吸込口２０ａを開き、第１風向調節羽根５２は吹出口２０ｂを開く。可動パネル２４の一端は蝶番によって本体２０に支持されており、可動パネル２４は回動して吸込口２０ａを開ける。
【００３２】
また、図２（ｃ）において、可動パネル２４は、本体２０側から延びるワイヤ７１に吊られた状態で使用者の手が届くメンテナンス位置まで降下することができる。但し、可動パネル２４は、一端が蝶番によって本体２０に支持されている状態ではメンテナンス位置まで降下することができないので、一旦、吸込口２０ａを閉じて、本体２０による支持が解除されたのちにメンテナンス位置まで降下する。
【００３３】
図３は、空調室内機の断面図である。図３において、空調室内機２は、フィルタ９、フィルタ清掃機構１０、室内熱交換器１２、室内ファン１３、ドレンパン１４及び吹出口モジュール５０をさらに備えている。空調室内機２の運転時、吸込口２０ａ及び吹出口２０ｂが開き、室内ファン１３が回転し、空気が吸込口２０ａから吸い込まれる。
【００３４】
（室内熱交換器１２）
室内熱交換器１２は、２つの熱交換器が異なる傾斜姿勢で隣接した形状をしており、説明の便宜上、上側の熱交換器を上部熱交換器１２ａ、下側の熱交換器を下部熱交換器１２ｂと呼ぶ。
【００３５】
上部熱交換器１２ａの上端は本体２０の内側上部に位置し、上端から下端に向って傾斜する角度は、鉛直線に対して４５°以下に設定されており、結露水が確実に上部熱交換器１２ａを伝わってドレンパン１４に向う。このため、ドレンパン１４は、上部熱交換器１２ａの下方全域に配置される必要が無く、上部熱交換器１２ａの下端近傍の下方にだけ配置されている。
【００３６】
下部熱交換器１２ｂの上端は、上部熱交換器１２ａの下端に近接して配置されており、上端から下端に向って傾斜する角度は、鉛直線に対して４５°を超えている。このため、結露水が直接落下する可能性があるので、ドレンパン１４は、下部熱交換器１２ｂの下方全域に配置されている。
【００３７】
上部熱交換器１２ａは、下部熱交換器１２ｂよりも長い寸法に設定されており、下端コーナーが、下部熱交換器１２ｂの上端中央に近接している。このため、上部熱交換器１２ａを下部熱交換器１２ｂより長くした分量を相殺している。
【００３８】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。これ以後、吸込口２０ａから室内ファン１３までの空気流路を吸込流路３１ａと呼ぶ。
【００３９】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。これ以後、室内ファン１３から吹出口２０ｂまでの空気流路を吹出流路（第２吹出流路４１ａ、第１吹出流路５１ａ）と呼ぶ。室内ファン１３とドレンパン１４との間で且つ第２吹出流路４１ａ側には、舌部１５が設けられており、この舌部１５が吹出空気の漏れを防止して、性能を向上させている。そして、下部熱交換器１２ｂの下端部が、舌部１５の下方に位置するので、従来（例えば、特開平１０−２０５７９６参照）のような舌部と熱交換器との位置関係に比べてデッドスペースを有効利用することができる。なお、舌部１５は、室内ファン１３及びドレンパン１４とは独立した部材である。
【００４０】
（本体２０）
空調室内機２は、可動パネル２４の上方に、フィルタ清掃機構１０を備えているので、フィルタ清掃機構１０を備えていない標準空調室内機と比較して本体２０の高さ寸法が大きくなる。空調室内機２は、標準空調室内機の本体を利用するために、標準空調室内機の本体に拡張枠を連結している。
【００４１】
図４は、空調室内機の本体の分解斜視図である。図４において、本体２０は、上部本体２６、本体拡張枠２７及び下部本体２８に大別される。上部本体２６には、図３で示した吸込流路３１ａ及び第２吹出流路４１ａを形成する発泡スチロール、室内熱交換器１２及び室内ファン１３が含まれる。本体２０の組立順序は、上部本体２６に本体拡張枠２７を連結し、本体拡張枠２７に下部本体２８が連結される。本体拡張枠２７は、上部本体２６と下部本体２８とを繋ぐ中間部材であり、外殻は板金製で直方体形状をしており、下部本体２８の重量増加に対して、充分な強度を有している。下部本体２８には、図３で示したフィルタ清掃機構１０、化粧パネル２１及び吹出口モジュール５０などが配置される。
【００４２】
図５は、下部本体の分解斜視図である。図５において、化粧パネル２１の上面には、ヒンジ連結装置６、昇降装置７、フィルタ清掃機構１０のフィルタ収納枠１０４、吹出口モジュール５０及び吹出口モジュールケース５０ａが装着されている。化粧パネル２１の下面には、可動パネル２４が装着されている。
【００４３】
図６は、空調室内機の化粧パネルの平面図であり、図７は、図６のＡ方向から視た化粧パネルの斜視図であり、図８は、図６のＢ方向から視た化粧パネルの斜視図である。図６、図７及び図８において、吹出口モジュール５０及びフィルタ清掃機構１０のフィルタ収納枠１０４は、化粧パネル２１の上面に長手方向に沿って配置される。吹出口モジュール５０及びフィルタ収納枠１０４は、化粧パネル２１の幅方向に並んで隣接している。
【００４４】
フィルタ収納枠１０４の両端には、フィルタ駆動モータ１０４ｆが取り付けられている。フィルタ駆動モータ１０４ｆは、歯車を介してローラー１０２を回転させ、フィルタ９を移動させる。化粧パネル２１の両端近傍には、昇降装置７がフィルタ収納枠１０４を挟むように配置されている。なお、説明の便宜上、図６の平面視左側の昇降装置７を第１昇降装置７０１と呼び、平面視右側の昇降装置７を第２昇降装置７０２と呼ぶ。
【００４５】
第２昇降装置７０２の周辺領域は、第１昇降装置７０１の周辺領域と比べて狭く、第２昇降装置７０２は、占有空間を抑制するために、化粧パネル２１の幅方向に対して傾斜した状態でフィルタ収納枠１０４に近接しており、図７に示すように、フィルタ駆動モータ１０４ｆが、第２昇降装置７０２の中央の隙間を占有するように位置している。
【００４６】
一方、第１昇降装置７０１の周辺領域は、第２昇降装置７０２の周辺領域に比べて広く設定されており、フィルタ駆動モータ１０４ｆ以外に、ブラシ駆動モータ１０８ｆ、第１風向調節羽根駆動部５７、第２風向調節羽根駆動部５８及び電装品箱４０（図８参照）が配置されている。
【００４７】
＜フィルタの掃除機構１０＞
図９は、フィルタ清掃機構のフィルタ収納枠の分解斜視図である。図９において、フィルタ収納枠１０４には、縁にラック１０１が形成されているフィルタ９、ピニオン歯車１０２ａを有するローラー１０２、フィルタ９の浮き上がりを防止するフィルタ安定板１０３、及びフィルタ９の移動経路を形成するフィルタ収納枠１０４が取り付けられる。
【００４８】
（フィルタ９）
フィルタ９は、網部９ａと網部９ａの周囲を保持する縁部９ｂを有しており、図３に示すように室内熱交換器１２の前面側に配置され、室内から取り込まれた空気から塵埃を除去する。これにより、フィルタ９は、空気中に浮遊する塵埃が室内熱交換器１２の表面を汚染することを防止している。フィルタ９の縁部９ｂには、ピニオン歯車１０２ａと噛み合うラック１０１が形成されている。
【００４９】
（ローラー１０２）
ローラー１０２は、複数のピニオン歯車１０２ａと、複数のピニオン歯車１０２ａを同軸上に連結する連結軸１０２ｂとを有している。ピニオン歯車１０２ａは、フィルタ９のラック１０１と噛み合い、回転することによってフィルタ９を水平に移動させる。
【００５０】
（フィルタ収納内枠１０４）
フィルタ収納枠１０４は、上枠１０４ａと下枠１０４ｂとを有しており、上枠１０４ａと下枠１０４ｂとが一定の間隔を隔てて上下に重なることによって、フィルタ収納部が形成される。また、上枠１０４ａには、モータ収納部１０４ｃが形成されており、ピニオン歯車１０２ａと噛み合う伝達歯車１０４ｄ、伝達歯車１０４ｄを駆動する駆動歯車１０４ｅ、及び駆動歯車１０４ｅを回転させるフィルタ駆動モータ１０４ｆが収納される。
【００５１】
ここで、フィルタ駆動モータ１０４ｆ及びブラシ駆動モータ１０８ｆのフィルタ収納枠１０４に対する位置関係、及び上記フィルタ収納部について図面を参照しながら詳細を説明する。図１０は、フィルタ収納枠の内部の断面図である。なお、図１０では、フィルタ駆動モータ１０４ｆ及びブラシ駆動モータ１０８ｆのフィルタ収納枠１０４に対する位置が明確になるように、フィルタ駆動モータ１０４ｆ及びブラシ駆動モータ１０８ｆを２点鎖線で表示している。フィルタ駆動モータ１０４ｆ及びブラシ駆動モータ１０８ｆは、フィルタ収納枠１０４の長手方向の両側、すなわち吸込口２０ａの長手方向の両側の上方に位置している。
【００５２】
図１０において、フィルタ駆動モータ１０４ｆの回転軸に駆動歯車１０４ｅが連結され、この駆動歯車１０４ｅに伝達歯車１０４ｄが噛み合っている。この伝達歯車１０４ｄがローラー１０２のピニオン歯車１０２ａを回転させる。フィルタ収納部は、前方収納部１０５と後方収納部１０６とから成り、前方収納部１０５及び後方収納部１０６の長さは、フィルタ９の長手方向の長さに相当する。
【００５３】
図１１（ａ）は、フィルタが前方収納部にあるときのフィルタ収納部の断面図であり、（ｂ）は、フィルタが後方収納部にあるときのフィルタ収納部の断面図であり、（ｃ）は、フィルタを取り出すときのフィルタ収納部の断面図である。図１１（ａ），（ｂ），（ｃ）において、前方収納部１０５は、フィルタ９が後方収納部１０６へ移動するときの経路となる直線状の前方収納経路１０５ａを有し、後方収納部１０６は、前方収納部１０５から移動してくるフィルタ９を導く後方収納経路１０６ａを有する。
【００５４】
図３に示すように、前方収納部１０５の終端部は、吸込流路３１ａを形成する壁から外側方向へ窪んだ凹部３２に嵌まり込んでおり、空調室内機２が稼動しているとき、フィルタ９の縁部９ｂが吸込流路３１ａに露出しないようになっている。また、後方収納部１０６は、吸込口２０ａと吹出口２０ｂとの間で、且つドレンパンの下方に位置している。
【００５５】
後方収納経路１０６ａには、第１湾曲領域１０６ｂと第２湾曲領域１０６ｃとがあり、第１湾曲領域１０６ｂは、ローラー１０２によって繰り出されたフィルタ９をピニオン歯車１０２ａの中心へ近づく方向に湾曲させる。第２湾曲領域１０６ｃは、第１湾曲領域１０６ｂと反対の方向へフィルタ９を湾曲させる。
【００５６】
また、フィルタ９は、フィルタ押え９１によって下方から支えられており、使用者が、フィルタ９をメンテナンスするためにフィルタ収納枠１０４から取り出すときは、フィルタ押え９１を下方へ回動させて、フィルタ９を引き出す。
【００５７】
（位置検知スイッチ１０７）
図１１において、フィルタ９は、フィルタ収納枠１０４内を移動し所定の位置で停止する。フィルタ９の停止位置は、位置検知スイッチ１０７によって検知される。位置検知スイッチ１０７は、前方収納部１０５の終端近傍、及び後方収納部１０６の終端近傍に配置されている。位置検知スイッチ１０７の外側には、レバーが蝶番によって装着されており、外力が加わると回動して位置検知スイッチ１０７のボタンを押す。
【００５８】
（ブラシ１０８）
図１０に示すように、ブラシ１０８の毛１０８ａは、フィルタ９を挟んでローラー１０２と反対側に位置しフィルタ９に接触している。つまり、フィルタ９の上側にローラー１０２があり、フィルタ９の下方にブラシ１０８がある。毛１０８ａの回転軸上には、最終伝達歯車１０８ｃが連結されており、ブラシ駆動モータ１０８ｆの回転軸には駆動歯車１０８ｅが連結されている。この駆動歯車１０８ｅと中間伝達歯車１０８ｄとが噛み合い、中間伝達歯車１０８ｄと最終伝達歯車１０８ｃとが噛み合っている。
【００５９】
また、ブラシ１０８は、直線状の前方収納経路１０５ａと湾曲した後方収納経路１０６ａとの間に位置するので、フィルタ９が前方収納経路１０５ａと後方収納経路１０６ａとの間を移動するときに、ブラシ１０８は、フィルタ９の網部９ａ全域に接触することができる。
【００６０】
なお、最終伝達歯車１０８ｃと中間伝達歯車１０８ｄとの噛み合いは、可動パネル２４の開時および下降時には外れ、最終伝達歯車１０８ｃは、可動パネル２４及びブラシ１０８と共に移動する。そして、可動パネル２４が吸込口２０ａを閉じたとき、最終伝達歯車１０８ｃと中間伝達歯車１０８ｄとは再び噛み合う。
【００６１】
図１２は、可動パネルの分解斜視図であり、図１２において、ブラシ１０８の毛１０８ａは、回転軸１０８ｂに固定されている。毛１０８ａは、プラスチック製の細い毛であるので、フィルタ９の網目に入り込んで塵埃を確実に除去することができる。最終伝達歯車１０８ｃは、回転軸１０８ｂの両端に連結されている。
【００６２】
（ダストボックス１０９）
図１２において、ダストボックス１０９は、上部の吹出口２０ｂ寄りに、塵埃取り込み口１０９ａを有しており、塵埃取り込み口１０９ａの長手方向の両端で、軸受１０９ｂを介して回転軸１０８ｂを支持する。さらに、塵埃取り込み口１０９ａには、ブラシ１０８がフィルタ９から掻き取った塵埃をブラシ１０８からふるい落とす櫛部１０９ｃが取り付けられている。
【００６３】
図２（ｂ）に示すように、ダストボックス１０９は可動パネル２４の回動軸側に寄って取り付けられており、ブラシ１０８が吸込口２０ａの端のさらに吹出口２０ｂ寄りに近づくので、可動パネル２４が回動して吸込口２０ａを開けたとき、ブラシ１０８と共にフィルタ９から離れ、吸込空気の進路を妨害しない。また、ダストボックス１０９へ向って来る空気を滑らかにフィルタ９へ向わせるために、ダストボックス１０９の吸込空気と対向する面１０９ｄは傾斜し、空気抵抗を低減している。
【００６４】
ダストボックス１０９が可動パネル２４に固定されたとき、可動パネル２４はダストボックス１０９によって構造的に補強されるので、従来、補強用として使用されていた板金部材の使用率が減少する。
【００６５】
（フィルタの清掃動作）
空調室内機２では、制御部により定期的に、或いは使用者が必要とするときにリモコンによってフィルタ９が自動的に清掃される。以下、その仕組みについて説明する。
【００６６】
図１１において、フィルタ９のラック１０１は、前方収納経路１０５ａに収まっており、ラック１０１の一端（以後、第１端部１０１ａとよぶ）はピニオン歯車１０２ａと噛み合っている。ローラー１０２が回転するとき、ピニオン歯車１０２ａからラック１０１に回転が伝達され、フィルタ９のラック１０１は、ローラー１０２によって後方収納経路１０６ａ側へ搬送される。ローラー１０２が回転し続けることによって、ラック１０１の第１端部１０１ａは後方収納経路１０６ａの終端に到達する。
【００６７】
ラック１０１の第１端部１０１ａが後方収納経路１０６ａの終端に到達したとき、第１端部１０１ａが位置検知スイッチ１０７のレバーを回動させオン動作させる。制御部は、位置検知スイッチ１０７から出力されるオン信号からラック１０１の第１端部１０１ａが後方収納経路１０６ａの終端に到達したと判断し、ローラー１０２の回転を停止させる。このとき、フィルタ９のラック１０１の全域が、後方収納経路１０６ａに収まっており、ラック１０１の他端（以後、第２端部１０１ｂとよぶ）はピニオン歯車１０２ａと噛み合っている。
【００６８】
図３及び図１１において、フィルタ９が移動する際に、フィルタ９の表面に付着していた塵埃はブラシ１０８によって掻き取られ、ダストボックス１０９に貯えられる。ブラシ１０８は、少なくともフィルタ９が前方収納経路１０５ａから後方収納経路１０６ａへ移動している期間中は回転しており、その回転方向は、フィルタ９の進行方向に逆らう方向である。
【００６９】
フィルタ９が前方収納経路１０５ａから後方収納経路１０６ａへ移動し塵埃の除去が終了したとき、制御部は、ローラー１０２を逆回転させる。フィルタ９のラック１０１の第２端部１０１ｂは、ピニオン歯車１０２ａと噛み合っているので、ピニオン歯車１０２ａからラック１０１に回転が伝達され、フィルタ９は、ローラー１０２によって前方収納経路１０５ａ側へ搬送される。ローラー１０２が逆回転し続けることによって、ラック１０１の第２端部１０１ｂは前方収納経路１０５ａの終端に到達する。
【００７０】
ラック１０１の第２端部１０１ｂが前方収納経路１０５ａの終端に到達しととき、第２端部１０１ｂが位置検知スイッチ１０７のレバーを回動させオン動作させる。制御部は、位置検知スイッチ１０７から出力されるオン信号からラック１０１の第２端部１０１ｂが前方収納経路１０５ａの終端に到達したと判断し、ローラー１０２の回転を停止させる。このとき、フィルタ９のラック１０１は、前方収納経路１０５ａに収まっており、ラック１０１の第１端部１０１ａはピニオン歯車１０２ａと噛み合っている。
【００７１】
＜可動パネル２４の動作に関連する装置＞
図１３は、化粧パネルの斜視図である。図１３に示すように、化粧パネル２１の天井側の面上には、昇降装置７以外に、ヒンジ連結装置６及びロック装置８が配置されている。以下、ヒンジ連結装置６、昇降装置７及びロック装置８の詳細構造について順に説明する。
【００７２】
（ヒンジ連結装置６）
ヒンジ連結装置６は、空調室内機２が稼動するとき、可動パネル２４の一端を回動可能に支持し、可動パネル２４をメンテナンス位置まで降下させるとき、可動パネル２４の一端の支持を解除する。
【００７３】
図１４は、ヒンジ連結装置の分解斜視図である。図１４において、ヒンジ連結装置６は、回動部材６１、滑り部材６２、第１ピン６３、ピニオン歯車６４、モータ６５、固定部材６６、第２ピン６７及びネジ６８を有している。回動部材６１は、Ｕ字状の固体物であって、端面から外側に向ってと棒状の支持軸６１ａが突出している。さらに、回動部材６１の一端部には、軸孔６１ｂが形成されている。
【００７４】
滑り部材６２は、ピニオン歯車６４と噛み合うラック６２ａと、回動部材６１の軸孔６１ｂの両端を挟むアーム６２ｂとが形成されている。さらに、アーム６２ｂには、第１滑り孔６２ｃが形成され、ラック６２ａの根元近傍には、第２滑り孔６２ｄが形成されている。モータ６５は、ステッピングモータであり、ピニオン歯車６４を回転させる。モータ６５は、ネジ６８が通る貫通孔６５ａを有する。
【００７５】
固定部材６６には、滑り部材６２を滑り移動可能に保持する滑り空間６６ａと、ピニオン歯車６４が挿入される歯車空間６６ｂと、ネジ６８と螺合するネジ孔６６ｃとが形成されている。さらに、滑り空間６６ａを形成する壁には、第１貫通孔６６ｄと第２貫通孔６６ｅとが形成されている。
【００７６】
固定部材６６の滑り空間６６ａに滑り部材６２が配置され、その滑り部材６２のアーム６２ｂに回動部材６１の軸孔６１ｂが挟まれるように配置される。第１ピン６３は、固定部材６６の第１貫通孔６６ｄの一端から挿入され、滑り部材６２の第１滑り孔６２ｃ及び回動部材６１の軸孔６１ｂを通って第１貫通孔６６ｄの他端に出る。
【００７７】
第２ピン６７は、第２貫通孔６６ｅの一端から挿入され、滑り部材６２の第２滑り孔６２ｄを通って第２貫通孔６６ｅの他端に出る。その結果、滑り部材６２は、第１ピン６３及び第２ピン６７に沿って滑り空間を水平移動することができ、回動部材６１は、第１ピン６３を中心に回動することができる。
【００７８】
（ヒンジ連結装置６の動作）
図１３、図１４において、モータ６５がピニオン歯車６４を回転させると、ピニオン歯車６４と噛み合うラック６２ａに動力が伝達されて滑り部材６２は第１ピン６３に沿って滑り移動し、滑り部材６２の移動に伴って回動部材６１が可動パネル２４の方向、或はその反対の方向へ移動する。ここで説明の便宜上、回動部材６１を可動パネル２４と連結する方向へ移動するようにモータ６５が回転することを正転と呼び、回動部材６１と可動パネル２４との連結を解除する方向へ移動するようにモータ６５が回転することを逆転と呼ぶ。
【００７９】
可動パネル２４の端部には、回動部材６１に支持軸６１ａと対峙する支持孔２４ｃ（図１２参照）が設けられており、モータ６５が正転し、支持軸６１ａが可動パネル２４の支持孔２４ｃに挿入されたときは、回動部材６１と可動パネル２４との連結が成立し、可動パネル２４は、第１ピン６３を中心に回動することができる。
【００８０】
一方、モータ６５が逆転し、支持軸６１ａが可動パネル２４の支持孔２４ｃから抜け出たときは、回動部材６１と可動パネル２４との連結が解消され、可動パネル２４は、第１ピン６３を中心に回動することができない。
【００８１】
（昇降装置７）
図１５は、昇降装置の分解斜視図である。図１５において、昇降装置７は、ワイヤ７１、滑車７２、ボビン７３、巻取り歯車７４、駆動歯車７５、昇降モータ７６、スイッチ７７及びケース７８を有している。
【００８２】
滑車７２は、滑車部７２ａとカム部７２ｂとが一体に成形されており、滑車部７２ａは、ワイヤ７１を支え、ワイヤ７１の移動に伴って回転する。カム部７２ｂは、小径曲面と大径曲面とそれら両曲面を結ぶ平面とから成る。
【００８３】
ボビン７３は、ワイヤ７１を巻取る。巻取り歯車７４は、ボビン７３と同軸で連結され一体的に回転する。駆動歯車７５は、巻取り歯車７４と噛み合いボビン７３を回転させる。
【００８４】
昇降モータ７６は、ステッピングモータであり駆動歯車７５を回転させる。昇降モータ７６の回転数は、制御部から供給されるパルス数によって制御される。なお、制御部は、ＣＰＵ、メモリ及びモータドライブ回路を搭載しており、昇降装置７から離れた他の位置に配置されている。昇降モータ７６と制御部はワイヤハーネスによって電気的に接続されている。
【００８５】
スイッチ７７は、レバー７７ａを有するマイクロスイッチであり、レバー７７ａが押されることによってオンする。レバー７７ａは、常に滑車７２のカム部７２ｂと接触しており、カム部７２ｂの大径曲面と対峙したときに押される。スイッチ７７も、制御部とワイヤハーネスによって電気的に接続されている。
【００８６】
ケース７８は、支持ケース７８ａとカバー７８ｂとに分割されている。支持ケース７８ａには、滑車７２を支持する第１軸７９ａ、ボビン７３と巻取り歯車７４とを支持する第２軸７９ｂ、スイッチ７７を支持する第３軸７９ｃが形成されている。カバー７８ｂは、支持ケース７８ａに支持された各部品を覆って保護する。
【００８７】
（昇降装置７の動作）
図１６は、昇降装置内部の部品の配置図である。図１６において、昇降装置７がワイヤ７１を繰り出す場合、昇降モータ７６は駆動歯車７５をＣＣＷ方向へ回転させ、巻取り歯車７４をＣＷ方向へ回転させる。これによって、ボビン７３がワイヤ７１を繰り出す方向に回転する。
【００８８】
一方、昇降装置７がワイヤ７１を巻き取る場合、昇降モータ７６は駆動歯車７５をＣＷ方向へ回転させ、巻取り歯車７４をＣＣＷ方向へ回転させる。これによって、ボビン７３がワイヤ７１を巻き取る方向に回転する。紐の繰り出し量および巻き取り量は、昇降モータ７６の回転量に比例しており、制御部が、昇降モータ７６へ供給するパルス数を制御することによって、ワイヤ７１の繰り出し量および巻き取り量が制御される。
【００８９】
ワイヤ７１の先端には可動パネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときにオン信号を発し、レバー７７ａが小径曲面と対峙したときにはオフ信号を発する。滑車７２が回転している間は、オン信号とオフ信号が交互に発生し、これらの信号は、すべて制御部に入力される。
【００９０】
しかし、何らかの要因でワイヤ７１が弛み張力がなくなった場合、例えば、メンテナンスのためにワイヤ７１を繰り出して可動パネル２４を降下させているときに、所定の繰り出し量に達する前に、可動パネル２４がテーブルなどの上に着地して停止した場合には、ワイヤ７１と滑車部７２ａとの摩擦力が減退し滑車７２が停止する。このため、スイッチ７７からは、オン信号又はオフ信号のいずれか一方が連続的に出力される。このとき、制御部では、昇降モータ７６が回転しているときにスイッチ７７からの信号が一定になっていることから、可動パネル２４が何らかの障害物によって停止したと推定し、直ちに昇降モータ７６を停止させる。
【００９１】
（ロック装置８）
可動パネル２４が吸込口２０ａを閉じているとき、可動パネル２４を本体２０に支持しているのは、ヒンジ連結装置６と昇降装置７である。不測の要因で、ヒンジ連結装置６が誤動作し可動パネル２４の支持を解除し、昇降装置７のワイヤ７１が緩んでしまったときでも可動パネル２４が落下しないように、空調室内機２はロック装置８をさらに備えている。
【００９２】
図１７は、ロック装置の斜視図である。図１７において、ロック装置８は、可動体８１、第１保持部８２、第２保持部８３、モータ８４及びスプリング８５を有している。可動体８１は、四角柱形状を成し、その一端には傾斜面８１１が形成され、全長が最長である長側面８１２には所定の歯車と噛み合うラック８１ａが形成され、ラック８１ａの下方には中空部８１ｂが形成されている。可動体８１は、長側面８１２を鉛直上方に向け、第１保持部８２に移動可能な状態で保持されている。
【００９３】
第１保持部８２は、上面と一側面とが開放された直方体形状の筐体であり、底面に案内溝８２ａが形成されており、可動体８１がその案内溝８２ａに沿って水平移動する。案内溝８２ａの両端は壁８２１，８２２で挟まれており、一方の壁８２１には可動体８１が通る貫通口８２ｂが形成されている。案内溝８２ａの両端を挟む壁８２１，８２２には壁８２３が隣接しており、壁８２３には、案内溝８２ａと直交する方向に突出する板状突起８２ｃが形成されている。可動体８１は第１保持部８２に保持されているとき、傾斜面８１１は常に第１保持部８２の外側に位置し、ラック８１ａは常に第１保持部８２の内部に位置する。そして、第１保持部８２の板状突起８２ｃは、可動体８１の中空部８１ｂを貫通している。
【００９４】
壁８２３は、モータ８４を固定し、モータ８４の回転軸に連結されたピニオン歯車８４ａを回転可能に支持している。ピニオン歯車８４ａは、可動体８１のラック８１ａと噛み合い、ラック＆ピニオン機構を成している。可動体８１の中空部８１ｂには、スプリング８５が収納されている。スプリング８５は、圧縮コイルスプリングであって、中空部８１ｂの端部と板状突起８２ｃとで挟まれている。
【００９５】
第２保持部８３は、可動体８１が通る案内孔８３ａが形成された固体物であって、可動パネル２４側に設置される。第２保持部８３の上面には滑らかな曲面８３１が形成されている。
【００９６】
（ロック装置８の動作）
図１７において、可動体８１は、第１保持体８２と第２保持体８３に保持された状態であり、その状態でモータ８４がピニオン歯車８４ａをＣＣＷ方向へ回転させたとき、ピニオン歯車８４ａの回転運動はラック８１ａによって直線運動に変換され、可動体８１が壁８２２に向って滑り移動する。可動体８１が所定距離移動したとき、可動体８１は第２保持部８３の案内孔８３ａから離れる。可動体８１を保持しない第２保持体８３は、上下方向の移動が許容されるので、可動パネル２４の降下を妨げない。
【００９７】
可動体８１の移動によって、中空部８１ｂの側面と板状突起８２ｃとの距離が短くなるので、スプリング８５は圧縮され反発力を貯える。モータ８４は、電力が供給されている間、スプリング８５の増加する反発力に抗して回転するが、電力が供給されなくなったとき、スプリング８５の反発力によって逆回転し、可動体８１は元の位置へ復帰する。
【００９８】
可動パネル２４が降下せず第２保持部８３が移動していないとき、可動体８１は第２保持部８３の案内孔８３ａに入る。一方、可動パネル２４が降下して第２保持部８３が移動しているとき、第２保持部８３が復帰する軌道上で待機する。そして、可動パネル２４が上昇して吸込口２０ａを閉じたとき、第２保持部８３は、曲面８３１を可動体８１の傾斜面８１１に当てて、可動体８１を押しのけて復帰する。
【００９９】
第２保持部８３に押された可動体８１は、水平移動しスプリング８５を圧縮する。第２保持部８３が完全に復帰したとき、可動体８１は、第２保持部８３の案内孔８３ａを貫通する。その結果、可動体８１が可動パネル２４の降下を妨げることになる。
【０１００】
（可動パネルの開閉動作）
図１８は、可動パネルが吸込口を開いた状態の斜視図である。図１８において、ヒンジ連結装置６が可動パネル２４を連結した状態で、ロック装置８がロックを解除し、昇降装置７がワイヤ７１を繰り出したとき、可動パネル２４は自重によって降下する。しかし、可動パネル２４の端部はヒンジ連結装置６に連結されているので、可動パネル２４は端部を軸として吸込口２０ａを開く方向へ回動する。
【０１０１】
一方、昇降装置７がワイヤ７１を巻き取るとき、可動パネル２４は上昇するが、可動パネル２４の端部がヒンジ連結装置６に連結されているので、可動パネル２４は端部を軸として吸込口２０ａを閉じる方向へ回動する。可動パネル２４が吸込口２０ａを完全に閉じたとき、ロック装置８が可動パネル２４をロックする。
【０１０２】
（可動パネルの昇降動作）
図１９は、可動パネルが降下している状態の斜視図である。図１９において、ヒンジ連結装置６が可動パネル２４の端部との連結を解除し、ロック装置８が可動パネル２４のロックを解除し、昇降装置７がワイヤ７１を繰り出したとき、可動パネル２４は自重によって降下する。一方、昇降装置７がワイヤ７１を巻き取るとき、可動パネル２４は上昇し、可動パネル２４が吸込口２０ａを完全に閉じたとき、ロック装置８が可動パネル２４をロックする。
【０１０３】
可動パネル２４は２本のワイヤに吊られて、ダストボックス１０９と共に降下するので、ダストボックス１０９を含めた可動パネル２４の総重量は増加しており、室内の気流によって姿勢が不安定になることはない。但し、塵埃が、ダストボックス１０９内に偏って集積されているときは重心が変動する。このため、本実施形態では、ダストボックス１０９内に塵埃が満載されているときの姿勢と、ダストボックス１０９内が空のときの姿勢とがほぼ同姿勢となるように、可動パネル２４上のダストボックス１０９の寸法と位置が設定されている。
【０１０４】
具体的には、ダストボックス１０９の長手方向の全長は、可動パネル２４の長手方向の全長の１／２以上に設定されている。また、ダストボックス１０９の幅方向の全長は、可動パネル２４の幅方向の全長の１／３以上に設定されている。そして、ダストボックス１０９は、可動パネル２４が回動するときの回動軸に寄って配置されている。
【０１０５】
＜ダストボックス１０９の取り出し機構＞
ダストボックス１０９内に貯えられた塵埃を捨てるときは、ダストボックス１０９が空調室内機２の可動パネル２４から取り外される。しかし、ダストボックス１０９は、使用者の手の届かない可動パネル２４に取り付けられているので、使用者は、使用者の手が届くメンテナンス位置まで可動パネル２４を降下させてから、ダストボックス１０９を可動パネル２４から取り外す。可動パネル２４の降下の仕組みは、可動パネル２４の昇降動作のところで詳細を述べているので説明を省略し、ここでは降下した可動パネル２４からダストボックス１０９を取り外す方法について説明する。
【０１０６】
図２０は、ダストボックス及びダストボックスが取り出された後の昇降パネルの斜視図である。図２０において、可動パネル２４には、ダストボックス１０９が収納される収納部２４ａが形成されている。図２０を正面から見たとき、左側端部には取り出し機構の第１押し出し部１１０が配置されており、右側端部には取り出し機構の第２押し出し部２１０が配置されている。
【０１０７】
図２１は取り出し機構の斜視図であり、図２２は取り出し機構の分解斜視図である。図２１において、取り出し機構は、第１押し出し部１１０、第２押し出し部２１０及び伝達部３１０から成る。第１押し出し部１１０は、ボタン１５１を有しており、ユーザーがこのボタン１５１を押すことによって、第１押し出し部１１０がダストボックス１０９の一端近傍を可動パネル２４の上方へ押し出し、同時に、第２押し出し部２１０がダストボックス１０９の他端近傍を可動パネル２４の上方へ押出す。
【０１０８】
図２２に示すように、第１押し出し部１１０、第２押し出し部２１０及び伝達部３１０は複数の部品で組立てられている。図２２において、第１押し出し部１１０は、第１カム部材１１１、第１位置決め部材１２１、第１カバー１３１、第１板バネ１４１、ボタン１５１及びコイルバネ１６１を含んでいる。第２押し出し部２１０は、第２カム部材２１１、第２位置決め部材２２１、第２カバー２３１及び第２板バネ２４１を含んでいる。伝達部３１０は、伝達部材３１１、調節ネジ３１３及び接続部材３１４を含んでいる。
【０１０９】
（第１押し出し部１１０の関連部材）
（第１カム部材１１１）
第１カム部材１１１は、フック１１２、受けカム１１３、押しカム１１４、接続部１１５及び軸１１６が一体に成形された樹脂部品であり、３つの機能を有している。第１カム部材１１１の第１の機能は、ダストボックス１０９を収納部２４ａに保持する機能であり、ダストボックス１０９が収納部２４ａに装着されたときに、フック１１２がダストボックス１０９の両端に設けられた凹部１０９ｅ（図２０参照）に嵌り、ダストボックス１０９が上方へ突出することを防止している。つまり、フック１１２がダストボックス１０９の保持部材として機能している。
【０１１０】
第１カム部材１１１の第２の機能は、ダストボックス１０９を収納部２４ａから押し出す機能であり、受けカム１１３がボタン１５１に押されたとき、押しカム１１４が軸１１６を中心に回転し、ダストボックス１０９の端部を収納部２４ａの上方へ押出す。つまり、押しカム１１４が、ダストボックス１０９の押出部材として機能している。
【０１１１】
第１カム部材１１１の第３の機能は、伝達部材３１１を引っ張る機能であり、接続部１１５に設けられた孔１１５ａには、伝達部材３１１の一端が掛かっており、接続部１１５が軸１１６を中心に回転したときに、伝達部材３１１が引っ張られる。
【０１１２】
（第１位置決め部材１２１）
第１位置決め部材１２１は、ケース１２２、ボタンケース１２３及び取付板１２４が一体に成形された樹脂部品であり、３つの機能を有している。第１位置決め部材１２１の第１の機能は、第１カム部材１１１を保持する機能であり、ケース１２２が軸受１２５を介して第１カム部材１１１の軸１１６を回転可能に支持している。但し、ケース１２２が第１カム部材１１１の押しカム１１４を囲んでいるので、第１カム部材１１１は反時計方向へ回転することはできない。
【０１１３】
第１位置決め部材１２１の第２の機能は、ボタン１５１とコイルバネ１６１を保持する機能である。ボタンケース１２３の壁面にはボタン１５１を往復移動可能に支持する案内溝１２３ａが設けられ、ボタンケース１２３の中央にはコイルバネ１６１を支持する支持棒１２３ｂが設けられている。コイルバネ１６１は、ボタンケース１２３とボタン１５１とで挟まれ圧縮されるので、ボタン１５１に反発力が生じる。
【０１１４】
第１位置決め部材１２１の第３の機能は、第１押し出し部１１０を可動パネル２４に固定する機能であり、第１位置決め部材１２１が取付板１２４の取付穴１２４ａを介して収納部２４ａにネジ締結される。
【０１１５】
（第１カバー１３１）
第１カバー１３１は、隔壁１３２とバネケース１３３とが一体に成形された樹脂部品であり、２つの機能を有する。第１カバー１３１の第１の機能は、ダストボックス１０９の収納部２４ａの端部と可動パネル２４とを仕切る機能であり、ダストボックス１０９が収納部２４ａから取り出されたとき、隔壁１３２が、収納部２４ａの端部を塞ぎ、可動パネル２４内部が外から見えることを防止している。第１カバー１３１の第２の機能は、第１板バネ１４１を保持する機能であり、隔壁１３２のほぼ中央に第１板バネ１４１が収納されるバネケース１３３が設けられている。
【０１１６】
（第１板バネ１４１）
第１板バネ１４１は、バネ用ステンレス鋼板で成形された部品であり、ダストボックス１０９を長手方向に押して固定する機能を有している。第１板バネ１４１によって、収納部２４ａにおけるダストボックス１０９のガタツキが防止されている。
【０１１７】
（ボタン１５１）
ボタン１５１は、操作部１５２とガイド部１５３が一体に成形された樹脂部品であり、第１カム部材１１１を回転させる機能を有している。操作部１５２の表面には、押しボタンであることをユーザーに示唆する文字が表示されている。ガイド部１５３は、第１位置決め部材１２１のボタンケース１２３と嵌合し、往復直線運動が許容されている。操作部１５２を押すと、ガイド部１５３が直進して第１カム部材１１１の受けカム１１３を押し、第１カム部材１１１を軸１１６周りに回転させる。
【０１１８】
ガイド部１５３の所定の箇所には、ボタンケース１２３の案内溝１２３ａとスナップフィットで嵌合する爪１５３ａが設けられている。爪１５３ａは、案内溝１２３ａの長手方向に沿って移動が許可されている。
【０１１９】
（コイルバネ１６１）
コイルバネ１６１は、バネ用ステンレス鋼線でコイル状に成形された部品であり、ボタン１５１に、押し方向とは反対の力を作用させる機能を有している。コイルバネ１６１は、ボタンケース１２３の支持棒１２３ｂに挿入された後に、ボタンケース１２３と、ボタン１５１のガイド部１５３とによって圧縮されるので、ボタン１５１に反発力が生じる。
【０１２０】
（第２押し出し部２１０の関連部材）
（第２カム部材２１１）
第２カム部材２１１は、フック２１２、押しカム２１４、接続部２１５及び軸２１６が一体に成形された樹脂部品であり、２つの機能を有している。第２カム部材２１１の第１の機能は、ダストボックス１０９を収納部２４ａに保持する機能であり、ダストボックス１０９が収納部２４ａに装着されたときに、フック２１２がダストボックス１０９の両端に設けられた凹部１０９ｅ（図２０参照）に嵌り、ダストボックス１０９が上方へ突出することを防止している。つまり、フック２１２がダストボックス１０９の保持部材として機能している。
【０１２１】
第２カム部材２１１の第２の機能は、ダストボックス１０９を収納部２４ａから押し出す機能であり、接続部２１５が伝達部材３１１に引っ張られたとき、押しカム２１４が軸２１６を中心に回転し、ダストボック１０９の端部を収納部２４ａの外側へ押出す。つまり、押しカム２１４が、ダストボックス１０９の押出部材として機能している。
【０１２２】
接続部２１５は、軸２１６と並行な方向へ延びる円柱であり、軸２１６の中心と接続部２１５の中心とは所定距離だけ離れている。第２カム部材２１１が回転するとき、接続部２１５は軸２１６を中心に円弧を描く。
【０１２３】
（第２位置決め部材２２１）
第２位置決め部材２２１は、ケース２２２及び取付板２２４が一体に成形された樹脂部品であり、２つの機能を有している。第２位置決め部材２２１の第１の機能は、第２カム部材２１１を保持する機能であり、ケース２２２が軸受２２５を介して第２カム部材２１１の軸２１６を回転可能に支持している。但し、ケース２２２が第２カム部材２１１の押しカム２１４を囲んでいるので、第２カム部材２１１は時計方向へ回転することはできない。
【０１２４】
第２位置決め部材２２１の第２の機能は、第２押し出し部２１０を収納部２４ａに固定する機能であり、第２位置決め部材２２１が取付板２２４の取付穴を介して収納部２４ａにネジ締結される。
【０１２５】
（第２カバー２３１）
第２カバー２３１は、隔壁２３２とバネケース２３３とが一体に成形された樹脂部品であり、２つの機能を有する。第２カバー２３１の第１の機能は、ダストボックス１０９の収納部２４ａの端部と可動パネル２４とを仕切る機能であり、ダストボックス１０９が収納部２４ａから取り出されたとき、隔壁２３２が、収納部２４ａの端部を塞ぎ、可動パネル２４内部が外から見えることを防止している。第２カバー２３１の第２の機能は、第２板バネ２４１を保持する機能であり、隔壁２３２のほぼ中央に第２板バネ２４１が収納されるバネケース２３３が設けられている。
【０１２６】
（第２板バネ２４１）
第２板バネ２４１は、バネ用ステンレス鋼板で成形された部品であり、ダストボックス１０９を長手方向に押して固定する機能を有している。第２板バネ２４１によって、収納部２４ａにおけるダストボックス１０９のガタツキが防止されている。
【０１２７】
（伝達部３１０の関連部材）
伝達部３１０は、第１押し出し部１１０の第１カム部材１１１の変位が第２押し出し部２１０の第２カム部材２１１に伝達されるように、第１カム部材１１１と第２カム部材２１１とを結ぶ。伝達部３１０は、伝達部材３１１と調節手段３１２とから成り、調節手段３１２は、調節ネジ３１３及び接続部材３１４を含む。
【０１２８】
（伝達部材３１１）
伝達部材３１１は、ステンレス鋼線で加工された部品であり、一方の端部３１１ａが第１押し出し部１１０の第１カム部材１１１に連結され、他方の端部３１１ｂが第２押し出し部２１０の第２カム部材２１１に間接的に連結されている。端部３１１ａは、接続部１１５の孔１１５ａにかけられるように曲げ加工されている。端部３１１ｂは、調節ネジ３１３を螺合させるために、ネジ切り加工されている。
【０１２９】
第１カム部材１１１と第２カム部材２１１との距離は製品ごとにバラツキがあるため、作業者は、端部３１１ｂに調節ネジ３１３を螺合させて、端部３１１ａから調節ネジ３１３までの距離を微調整し、距離の調整が完了した後、調節ネジ３１３を接続部材３１４に嵌め込んでいる。
【０１３０】
（調節ネジ３１３）
調節ネジ３１３は、黄銅で加工された部品であり、正六角柱状のネジ本体３１３ａの中央には、軸方向に沿ってネジ切り加工されたネジ孔３１３ｂが設けられている。このネジ孔３１３ｂと伝達部材３１１の端部３１１ｂが螺合する。
【０１３１】
（接続部材３１４）
接続部材３１４は、保持部３１５と接続部３１６とが一体に成形された樹脂部品であり、第２カム部材２１１と伝達部材３１１とを連結する機能を有する。保持部３１５は、調節ネジ３１３を保持できるように、ネジ本体３１３ａの複数の外側面と接触する凹部が設けられている。本実施形態では、凹部の形状は、調節ネジ３１３の空回りを防止するために、調節ネジ３１３の４つの外側面と接触するように成形されている。但し、これに限定されるものではなく、例えば、直方体形状に成形されていても、調節ネジ３１３の空回りを防止することができる。
【０１３２】
接続部３１６は、保持部３１５の所定の端面から片持ち梁状に突出し、その先端には、円形の爪が設けられている。爪は、第２カム部材２１１の接続部２１５に設けられたれ連結孔にスナップフィットで嵌合する。伝達部材３１１が第１カム部材１１１に引っ張られると、接続部材３１４が第２カム部材２１１の接続部２１５を引っ張る。このとき、第２カム部材２１１が軸２１６を中心に回転し、押しカム２１４がダストボックス１０９の端部を押す。
【０１３３】
第２カム部材２１１が回転するとき、接続部２１５は軸２１６を中心に円弧を描きながら移動するので、連結孔と爪とは摺動する。連結孔と爪は嵌合する軸孔と軸の関係であるので、互いにこじることはない。
【０１３４】
（ダストボックス１０９の取り外し動作及び取り付け動作）
図１９において、ユーザーは、ボタン１５１を押してダストボックス１０９を収納部２４ａから取り外す。ボタン１５１が押されると、受けカム１１３が押されて、第１カム部材１１１が回転し、押しカム１１４がダストボックス１０９の一端を押す。
【０１３５】
第１カム部材１１１が回転したとき、接続部１１５が伝達部材３１１を引っ張るので、第２カム部材２１１は引っ張られて回転し、押しカム２１４がダストボックス１０９の他端を押す。
【０１３６】
ダストボックス１０９の両端が押されると同時に、第１カム部材１１１のフック１１２及び第２カム部材２１１のフック２１２がダストボックス１０９の凹部１０９ｅ（図２０参照）から離れるので、ダストボックス１０９は、収納部２４ａから外側へ突出する。つまり、ボタン１５１が、フック１１２，２１２及び押しカム１１４，２１４を動作させる操作部材として機能している。ユーザーは、ダストボックス１０９が可動パネル２４から外れていることを容易に認識することができる。
【０１３７】
一方、ダストボックス１０９を収納部２４ａに取り付けるときは、ダストボックス１０９を収納部２４ａに押し込むことによって、第１カム部材１１１のフック１１２及び第２カム部材２１１のフック２１２がダストボックス１０９の凹部１０９ｅ（図２０参照）に嵌まり込み、ダストボックス１０９を収納部２４ａに保持する。
【０１３８】
上記のように、ダストボックス１０９は、ボタン１５１を押すだけで可動パネル２４から取り外すことができ、ダストボックス１０９を可動パネル２４の収納部２４ａへ押込むだけで可動パネル２４にダストボックス１０９がロックされるので、使い勝手がよい。
【０１３９】
＜吹出口モジュール５０の構成部品＞
図２３は吹出口モジュールの拡大断面図であり、図２４は吹出口モジュールの斜視図である。図２３、図２４において、吹出口モジュール５０は、第１吹出流路形成壁部５１、第１風向調節羽根５２、第２風向調節羽根５３、長羽根支持部材５４、短冊状羽根支持部材５５及び断熱材５６がモジュール化されたものである。
【０１４０】
（第１吹出流路形成壁部５１）
第１吹出流路形成壁部５１は、空気流路の終端部に位置し吹出口２０ｂに繋がる第１吹出流路５１ａを形成している。第１吹出流路形成壁部５１は、第２吹出流路４１ａを形成する第２吹出流路形成壁部４１（図３参照）の終端と向かい合う部分に、樹脂性のシール部材貼付面５１１を有しており、そこにシール部材５９が貼り付けられる。シール部材貼付面５１１の幅寸法は、３ｍｍ以上に設定されている。
【０１４１】
第１吹出流路形成壁部５１は、シール部材貼付面５１１から吹出口２０ｂの方向へ延びる外壁５１２及び内壁５１３と、外壁５１２の終端から水平方向に延びるフランジ５１４をさらに有している。外壁５１２と内壁５１３とは所定距離だけ離れて、外壁５１２と内壁５１３との間に断熱空気層５１ｂを形成している。フランジ５１４は、吹出口２０ｂを挟んで吸込口２０ａと反対側に位置し、化粧パネル２１の補強板を兼ねている。
【０１４２】
（第１風向調節羽根５２）
第１風向調節羽根５２は、吹出口２０ｂの近傍に位置し、吹出口２０ｂの長手方向と平行に延びる２つの長羽根５２ａ，５２ｂを有している。長羽根５２ａ，５２ｂは、長羽根支持部材５４によって第１吹出流路形成壁部５１に連結されており、長羽根支持部材５４の支持部５４ａ，５４ｂが吹出口２０ｂの長手方向と並行な軸を中心として回動し、長羽根５２ａ，５２ｂの傾き角度を調節する。但し、空調室内機２が停止しているときは吹出口２０ｂを閉じる。
【０１４３】
（第２風向調節羽根５３）
第２風向調節羽根５３は、第１風向調節羽根５２の上流に位置し、複数の短冊状羽根５３ａと１本の駆動軸５３ｂとを有している。各短冊状羽根５３ａは、短冊状羽根支持部材５５によって第１吹出流路形成壁部５１に連結され、所定の間隔で吹出口２０ｂの長手方向に平行に並んでいる。また、複数の短冊状羽根５３ａは、駆動軸５３ｂによって繋がっており、駆動軸５３ｂが長手方向に往復運動することによって、吹出口２０ｂの長手方向と直行する軸を中心に遥動する。
【０１４４】
（第１風向調節羽根駆動部５７）
第１風向調節羽根駆動部５７は、第１吹出流路形成壁部５１の外側で第１風向調節羽根５２の延長線上に位置する。第１風向調節羽根駆動部５７は、内部にステッピングモータ（図示せず）と、そのステッピングモータの回転を長羽根支持部材５４に伝達する伝達歯車（図示せず）を有している。
【０１４５】
（第２風向調節羽根駆動部５８）
第２風向調節羽根駆動部５８は、第１吹出流路形成壁部５１の外側で第２風向調節羽根５３の駆動軸５３ｂの延長線上に位置する。第２風向調節羽根駆動部５８は、内部にステッピングモータ（図示せず）と、そのステッピングモータの回転を駆動軸５３ｂに伝達する伝達歯車（図示せず）を有している。
【０１４６】
＜特徴＞
（１）
空調室内機２では、吸込流路３１ａと第２吹出流路４１ａとの間に、フィルタ９の後方収納部１０６が配置されている。その結果、後方収納部１０６を確保するために、本体の形状を大きくしたり、或は吸込口２０ｂを小さくしたりする必要がない。また、フィルタ９は、後方収納部１０６内の湾曲した後方収納経路１０６ａに収納されるので、全長の長いフィルタ９を収納することができる。また、フィルタ９が後方収納経路１０６ａの第１湾曲領域１０６ｂを通過することによって、フィルタ９とピニオン歯車１０２ａとの噛み合い率が増加するので、フィルタ９とピニオン歯車１０２ａとの間で歯飛びが起こり難く、ローラー１０２の動力が確実にフィルタ９へ伝達される。
【０１４７】
（２）
空調室内機２では、運転時、フィルタ９は、前方収納部１０５の前方収納経路１０５ａに収納されている。前方収納経路１０５ａは直線状であるので、フィルタ９が直線状に矯正される。その結果、フィルタ９の波うちが防止され、ブラシ１０８が確実にフィルタ９を清掃することができる。
【０１４８】
〔変形例〕
次に、上記実施形態の変形例について図面を参照しながら説明する。なお、上記実施形態と共通する部分は、同一の符号を付して説明を省略する。図２５は変形例に係る空調室内機の可動パネルの斜視図であり、図２６は図２５のＣ部の拡大図である。
【０１４９】
（ヒンジ５３０）
図２５において、可動パネル５２４は、ヒンジ５３０によって化粧パネル２１に回動可能に支持される。図２６に示すように、ヒンジ５３０は、水平方向に延びる水平棒部５３１と、水平棒部５３１から垂直に延びるレバー５３２と、レバー５３２の端部から鉤状に曲がるフック５３３を有し、水平棒部５３１を上にした状態で静止している。
【０１５０】
図２７は、ヒンジ単品の側面図である。図２７において、ヒンジ５３０は、可動パネル５２４の回動中心となる回動軸部５３４をさらに有している。ヒンジ５３０は、可動パネル５２４内のバネによってＤ方向へ倒れるようにバネ力が作用している。
【０１５１】
（ヒンジ連結機構７６０）
図２８は、可動パネルが吸込口を閉じているときのヒンジ及びヒンジ連結機構の平面図であり、図２９は、可動パネルが吸込口を開けるときのヒンジ及びヒンジ連結機構の平面図であり、図３０は、可動パネルが吸込口から離れるときのヒンジ及びヒンジ連結機構の平面図である。
【０１５２】
図２８において、ヒンジ連結機構７６０は、ヒンジ受７６１，７６２、スライド部材７６４、モータ７６５、ヒンジ検知レバー７６６及びヒンジ検知スイッチ７６７を含んでいる。ヒンジ受７６１，７６２は、回動軸７６１ａ，７６２ａと、ヒンジ５３０の水平棒部５３１を受ける受け部７６１ｂ，７６２ｂとを有している。受け部７６１ｂ，７６２ｂは、回動軸７６１ａ，７６２ａを中心として回動することができる。
【０１５３】
スライド部材７６４は、位置決め突起７６４ａ，７６４ｂと、押し部７６４ｃ，７６４ｄと、ラック７６４ｅと、手動操作部７６４ｆとを有する。位置決め突起７６４ａはヒンジ受７６１に接触し、位置決め突起７６４ｂはヒンジ受７６２に接触し、ヒンジ受７６１，７６２の揺れを防止する。押し部７６４ｃ，７６４ｄは、スライド部材７６４がＥ方向へ移動したときに、ヒンジ受７６１，７６２を押して、受け部７６１ｂ，７６２ｂがヒンジ５３０の水平棒部５３１を受けないようにする。ラック７６４ｅは、モータ７６５のピニオン歯車７６５ａと噛み合い、ピニオン歯車７６５ａの回転をスライド部材７６４の水平移動へ変換する。
【０１５４】
スライド部材７６４の端部には、パネルロック機構７８０のカム７８２が一体成形されている。カム７８２は、パネルロックレバー７８１を回動させるためのカム面７８２ａを有している。カム面７８２ａは、カム７８２がスライド部材７６４と共に移動したときにパネルロックレバー７８１を回動させる操作カム面と、パネルロックレバー７８１を回動した位置で静止させる静止カム面とを含む。即ち、スライド部材７６４が、操作カム面の範囲相当量だけ移動したときは、パネルロックレバー７８１は回動するが、ヒンジ受７６１とスライド部材７６４とは接触しないので、ヒンジ受７６１は回動しない。このとき、可動パネル５２４のロック状態は解除されるが、ヒンジ５３０と可動パネル５２４との連結状態は解除されない。しかし、スライド部材７６４が操作カム面の範囲相当量を超えてさらに静止カム面の範囲相当量まで移動したときは、ヒンジ受７６１とスライド部材７６４とが接触するので、ヒンジ受７６１が回動する。このとき、可動パネル５２４のロック状態を解除した状態で、ヒンジ５３０と可動パネル５２４との連結状態も解除される。
【０１５５】
手動操作部７６４ｆは、スライド部材７６４の端部には設けられ、手動でスライド部材７６４を移動させるときに使用される。手動操作部７６４ｆが操作されるのは、モータ７６５が故障したときであって、使用者が、可動パネル５２４のロック状態を解除したいとき、或は、ヒンジ５３０と可動パネル５２４との連結状態を解除したいときに使用される。
【０１５６】
ヒンジ検知レバー７６６は、回動軸部７６６ａと、ヒンジ検知部７６６ｂと、スイッチ操作部７６６ｃとを有している。ヒンジ検知部７６６ｂとスイッチ操作部７６６ｃとは回動軸部７６６ａを挟んで互いに反対の位置にあり、ヒンジ検知部７６６ｂがヒンジ５３０と接触して押されたときは、スイッチ操作部７６６ｃが回動軸部７６６ａを中心に回動し、ヒンジ検知スイッチ７６７を押す。このとき、ヒンジ検知スイッチ７６７がオンする。
【０１５７】
図２９において、可動パネル５２４が吸込口２０ａを開けるために降下したとき、ヒンジ５３０はバネ力によってＦ方向に移動するので、ヒンジ５３０の水平棒部５３１の両端が、ヒンジ受７６１，７６２の受け部７６１ｂ，７６２ｂに保持される。このとき、ヒンジ検知レバー７６６は、ヒンジ５３０と接触していないので、スイッチ操作部７６６ｃがヒンジ検知スイッチ７６７から離れる方向へ回動し、ヒンジ検知スイッチ７６７がオフする。
【０１５８】
図３０において、スライド部材７６４がＥ方向へ移動したとき、押し部７６４ｃ，７６４ｄがヒンジ受７６１，７６２を押すので、受け部７６１ｂ，７６２ｂがヒンジ５３０の降下軌道上から外れる。その結果、ヒンジ５３０の水平棒部５３１の両端が、受け部７６１ｂ，７６２ｂに保持されないので、可動パネル５２４は、回動することなく降下する。
【０１５９】
（可動パネルの開閉動作）
図３１（ａ）は下部本体の断面図であり、（ｂ）は可動パネルが吸込口を開ける直前の下部本体の部分断面図であり、（ｃ）は可動パネルが吸込口を開けた直後の下部本体の部分断面図である。図２８、図３１（ａ）において、ヒンジ５３０の水平棒部５３１の下方空間には、水平棒部５３１を受けるヒンジ受７６１，７６２と、フック５３３と接触する突起部７６３が化粧パネル２１側から突出している。可動パネル５２４が、吸込口２０ａを閉じているときは、フック５３３が突起部７６３と接触するので、水平棒部５３１は、回動軸部５３４を中心に時計方向へ回動した状態で静止している。このとき、水平棒部５３１とヒンジ受７６１，７６２とは未だ接触していない。
【０１６０】
図２９、図３１（ｂ）において、可動パネル５２４が降下したとき、水平棒部５３１は、ヒンジ受７６１，７６２に引っ掛かり停止する。可動パネル５２４が継続して降下すると、水平棒部５３１は、ヒンジ受７６１，７６２で拘束されているので、可動パネル５２４とヒンジ５３０とが離れようとする。しかし、可動パネル５２４とヒンジ５３０とは、回動軸部５３４で連結されているので、図３１（ｃ）に示すように、可動パネル５２４が回動軸部５３４を中心に回動する。
【０１６１】
一方、可動パネル５２４が吸込口２０ａを閉じるときの動作は、吸込口２０ａを開けるときの動作と逆であり、可動パネル５２４を上昇させることによって、図２４（ａ）の状態から（ｂ）の状態を経て（ｃ）の状態となる。
【０１６２】
（可動パネルの昇降動作）
図３２（ａ）は下部本体の断面図であり、（ｂ）は可動パネルが降下を開始した直後の下部本体の部分断面図であり、（ｃ）は、可動パネルが降下したときの下部本体の部分断面図である。図２８、図３２（ａ）において、ヒンジ５３０の水平棒部５３１の下方空間には、水平棒部５３１を受けるヒンジ受７６１，７６２と、フック５３３と接触する突起部７６３が化粧パネル２１側から突出している。可動パネル５２４が、吸込口２０ａを閉じているときは、フック５３３が突起部７６３と接触するので、水平棒部５３１は、回動軸部５３４を中心に時計方向へ回動した状態で静止している。このとき、水平棒部５３１とヒンジ受７６１，７６２とは未だ接触していない。
【０１６３】
図３０、図３２（ｂ）（ｃ）において、スライド部材７６４がＥ方向へ移動して、押し部７６４ｃ，７６４ｄがヒンジ受７６１，７６２を押しているので、受け部７６１ｂ，７６２ｂがヒンジ５３０の降下軌道上から外れており、ヒンジ５３０が降下したとき、水平棒部５３１の両端が受け部７６１ｂ，７６２ｂに保持されず、可動パネル５２４は回動することなく降下することができる。
【０１６４】
一方、可動パネル５２４が吸込口２０ａを閉じるときの動作は、吸込口２０ａを開けるときの動作と逆であり、可動パネル５２４を上昇させることによって、図３２（ａ）の状態から（ｂ）の状態を経て（ｃ）の状態となる。
【０１６５】
（パネルロック機構７８０）
図２８において、パネルロック機構７８０は、パネルロックレバー７８１、カム７８２、パネルロックリング７８３、ロック検知スイッチ７８４、及びスプリング７８５を含んでいる。カム７８２は、ヒンジ連結機構７６０のスライド部材７６４の端部に固定され、カム面７８２ａを有している。
【０１６６】
パネルロックレバー７８１は、回動軸部７８１ａと、カム接触部７８１ｂと、パネルロック部７８１ｃとを有している。カム接触部７８１ｂとパネルロック部７８１ｃとは、回動軸部７８１ａを挟んで互いに反対の位置にある。カム接触部７８１ｂは、カム面７８２ａに追従することによって回動軸部７８１ａを中心に回動し、パネルロック部７８１ｃが回動軸部７８１ａを中心に回動する。
【０１６７】
パネルロックリング７８３は、可動パネル５２４のヒンジ５３０近傍に設けられており、パネルロックレバー７８１のパネルロック部７８１ｃが挿入される。スプリング７８５は、パネルロック部７８１ｃをパネルロックリング７８３に挿入する方向へバネ力を与える
図２８に示すように、可動パネル５２４が吸込口２０ａを閉じているときは、ヒンジ連結機構７６０のスライド部材７６４が停止しているので、カム７８２がカム接触部７８１ｂを動作させることはできない。一方、図３０に示すように、スライド部材７６４がＥ方向へ移動したときは、カム７８２がカム接触部７８１ｂを回動させるので、パネルロック部７８１ｃが回動軸部７８１ａを中心に回動し、パネルロックリング７８３から抜け出る。
【０１６８】
図３３（ａ）は、パネルロック部がパネルロックリングから抜け出たあとの断面図であり、（ｂ）は、パネルロック部がパネルロックリングに押されて後退するときの断面図であり、（ｃ）は、パネルロック部がパネルロックリングに収まったときの断面図である。図３３（ａ），（ｂ），（ｃ）において、可動パネル５２４が、図３２の（ｃ）の状態から（ａ）の状態へ復帰するときに、パネルロックリング７８３の上部がパネルロック部７８１ｃの先端を押す。パネルロック部７８１ｃの先端は傾斜しているので、スプリング７８５の圧縮方向へ分力が働き、パネルロック部７８１ｃはスプリング７８５を圧縮しながら後退する。そして、パネルロックリング７８３が元の位置に戻ったとき、パネルロック部７８１ｃはスプリング７８５に押されてパネルロックリング７８３の孔に挿入される。
【０１６９】
＜可動パネルの吊り下げ方向＞
次に、昇降装置７のワイヤ７１による可動パネル５２４の吊り下げ方法について説明する。図３４は、可動パネルの端部の平面図である。図３４において、可動パネル５２４の端部近傍には、昇降装置７のワイヤ７１の先端が連結される吊り金具７０８が取り付けられている。
【０１７０】
（吊り金具７０８）
図３５は、昇降装置のワイヤの先端に連結される吊り金具の正面図である。図３５において、吊り金具７０８は、上部リング７０８ａと下部リング７０８ｂとを有している。上部リング７０８ａと下部リング７０８ｂとは、金属線をアラビア数字の８の字状に加工することによって一体成形される。吊り金具７０８の上部リング７０８ａには、昇降装置７のワイヤ７１が接続され、下部リング７０８ｂは、可動パネル５２４の所定の部材に連結される。
【０１７１】
（吊り金具連結部材５７０）
図３６（ａ）は、吊り金具が連結される吊り金具連結部材の平面図であり、（ｂ）は、（ａ）のＸ−Ｘ線での断面図である。なお、図３６（ｂ）には、参考として、吊り金具７０８が連結されている状態を２点鎖線で表示している。図３６（ａ），（ｂ）において、吊り金具連結部材５７０は、ケース５７１、スライドレバー５７２及びスプリング５７３を含んでいる。
【０１７２】
ケース５７１は、フランジ５７１ａを有しており、フランジ５７１ａが可動パネル５２４の所定位置にネジによって取り付けられる。ケース５７１は、吊り金具７０８の下部リング７０８ｂが挿入される開口５７１ｂと、開口５７１ｂから下部リング７０８ｂを内部へ導く溝５７１ｃと、スライドレバー５７２が移動するときの案内となるガイド部５７１ｄをさらに有している。
【０１７３】
スライドレバー５７２は、ケース５７１の溝５７１ｃと交差する方向に移動する部材であり、使用者が指で摘むことができるリブ５７２ａを有する。スライドレバー５７２は、リブ５７２ａと反対側の面に、スプリング５７３を支持する突起５７２ｂをさらに有する。スプリング５７３は、圧縮コイルスプリングであって、内側を突起５７２ｂに支持され、外側はケース５７１のガイド部５７１ｄとスライドレバー５７２に囲まれている。
【０１７４】
スライドレバー５７２は、ケース５７１の開口５７１ｂを内側から閉じるインナーカバー５７２ｃをさらに有している。通常、スライドレバー５７２は、スプリング５７３のバネ力によってフランジ５７１ａ側へ押されているので、インナーカバー５７２ｃが開口５７１ｂを閉じている。
【０１７５】
図３７（ａ）は、吊り金具が連結される直前の吊り金具連結部材の平面図であり、（ｂ）は、（ａ）のＹ−Ｙ線での断面図である。なお、図３７（ｂ）には、参考として、吊り金具７０８が挿入された状態を２点鎖線で表示している。図３７（ａ），（ｂ）において、スライドレバー５７２をフランジ５７１ａから離れる方向へ移動させたとき、インナーカバー５７２ｃがケース５７１の開口５７１ｂを開放するので、吊り金具７０８を開口７５１ｂから挿入することが可能となる。
【０１７６】
吊り金具７０８は、溝５７１ｃに沿って内部へ進入することができる。溝５７１ｃの長さは、吊り金具７０８の下部リング７０８ｂが完全に収まる長さに相当するので、下部リング７０８ｂは完全にケース５７１内に収納される。下部リング７０８ｂが、ケース５７１内に収納された後に、スライドレバー５７２を元の位置に戻したとき、インナーカバー５７２ｃが下部リング７０８ｂに嵌まり込むので、下部リング７０８ｂがケース５７１から抜けなくなる。
【０１７７】
（ダストボックスロック装置５８０）
図３４において、ダストボックス１０９が装着される領域の側方に、ダストボックスロック装置５８０が取り付けられている。ダストボックスロック装置５８０は、ダストボックス１０９が可動パネル５２４から外れないように固定している。
【０１７８】
図３８（ａ）は、ダストボックスロック装置の平面図であり、（ｂ）はダストボックスロック装置の正面図である。図３８（ａ），（ｂ）において、ダストボックスロック装置５８０は、ロックバー５８１と、ロックバー５８１を支持するハウジング５８２と、ロックバー５８１をハウジング５８２から突出させるロックスプリング５８３を含んでいる。
【０１７９】
ロックバー５８１の上部には、使用者が指で摘むことができる操作リブ５８１ａが形成されている。使用者は、図３８（ｂ）のＧ方向へ操作リブ５８１ａを指で移動させることによって、ロックバー５８１がロックスプリング５８３を圧縮させながら移動する。そして、使用者が手を離したとき、ロックバー５８１は、ロックスプリング５８３の力で元の位置へ復帰する。
【０１８０】
＜変形例の特徴＞
空調室内機２では、昇降装置７の故障等によって可動パネル５２４を静止させる機能が著しく低下したときでも、パネルロック機構７８０のパネルロックレバー７８１が可動パネル５２４のパネルロックリング７８３に嵌まり込んでいるので、可動パネル５２４が吸込口２０ａから勝手に降下するような事態が回避される。また、スプリング７８５だけでパネルロックレバー７８１をパネルロックリング７８３へ移動させることができるので、電気系統の故障によりモータ７６５が動作しないときでも、可動パネル５２４を確実に拘束することができる。
【産業上の利用可能性】
【０１８１】
以上のように、本発明によれば、フィルタ清掃時に、フィルタが吸込流路と吹出流路との間に収納されるので本体が大型化しない。したがって、天井設置の空調室内機に限らず、フィルタ清掃機構を備えた空調機に有用である。
【図面の簡単な説明】
【０１８２】
【図１】本発明の第１実施形態に係る空調室内機の外観斜視図。
【図２】（ａ）空調室内機の運転停止時の側面図。（ｂ）空調室内機の運転時の側面図。（ｃ）メンテナンス時の側面図。
【図３】空調室内機の断面図。
【図４】空調室内機の本体の分解斜視図。
【図５】下部本体の分解斜視図。
【図６】化粧パネルの平面図。
【図７】図６のＡ方向から視た化粧パネルの斜視図。
【図８】図６のＢ方向から視た化粧パネルの斜視図。
【図９】フィルタ清掃機構のフィルタ収納枠の分解斜視図。
【図１０】フィルタ収納枠の内部の断面図。
【図１１】（ａ）フィルタが前方収納部にあるときのフィルタ収納部の断面図。（ｂ）フィルタが後方収納部にあるときのフィルタ収納部の断面図。（ｃ）フィルタを取り出すときのフィルタ収納部の断面図。
【図１２】可動パネルの分解斜視図。
【図１３】化粧パネルの斜視図。
【図１４】ヒンジ連結装置の分解斜視図。
【図１５】昇降装置の分解斜視図。
【図１６】昇降装置内部の部品の配置図。
【図１７】ロック装置の斜視図。
【図１８】可動パネルが吸込口を開いた状態の斜視図。
【図１９】可動パネルが降下している状態の斜視図。
【図２０】ダストボックス及びダストボックスが取り出された後の昇降パネルの斜視図。
【図２１】取り出し機構の斜視図。
【図２２】取り出し機構の分解斜視図。
【図２３】吹出口モジュールの拡大断面図。
【図２４】吹出口モジュールの斜視図。
【図２５】変形例に係る空調室内機の可動パネルの斜視図。
【図２６】図２５のＣ部の拡大図。
【図２７】ヒンジ単品の側面図。
【図２８】可動パネルが吸込口を閉じているときのヒンジ及びヒンジ連結機構の平面図。
【図２９】可動パネルが吸込口を開けるときのヒンジ及びヒンジ連結機構の平面図。
【図３０】可動パネルが吸込口から離れるときのヒンジ及びヒンジ連結機構の平面図。
【図３１】（ａ）下部本体の断面図。（ｂ）可動パネルが吸込口を開ける直前の下部本体の部分断面図。（ｃ）可動パネルが吸込口を開けた直後の下部本体の部分断面図。
【図３２】（ａ）下部本体の断面図。（ｂ）可動パネルが降下を開始した直後の下部本体の部分断面図。（ｃ）可動パネルが降下したときの下部本体の部分断面図。
【図３３】（ａ）パネルロック部がパネルロックリングから抜け出たあとの断面図。（ｂ）パネルロック部がパネルロックリングに押されて後退するときの断面図。（ｃ）パネルロック部がパネルロックリングに収まったときの断面図。
【図３４】可動パネルの端部の平面図。
【図３５】昇降装置のワイヤの先端に連結される吊り金具の正面図。
【図３６】（ａ）吊り金具が連結される吊り金具連結部材の平面図。（ｂ）（ａ）のＸ−Ｘ線での断面図。
【図３７】（ａ）吊り金具が連結される直前の吊り金具連結部材の平面図。（ｂ）（ａ）のＹ−Ｙ線での断面図。
【図３８】（ａ）ロック装置の平面図。（ｂ）ロック装置の正面図。
【符号の説明】
【０１８３】
２  空調室内機
９  フィルタ
１２  室内熱交換器
１４  ドレンパン
２０  本体
２０ａ  吸込口
２０ｂ  吹出口
２１  化粧パネル（下面パネル）
２６  上部本体
２８  下部本体
３１ａ  吸込流路
４１ａ，５１ａ  吹出流路
１０２  ローラー（フィルタ駆動部）
１０２ａ  ピニオン歯車
１０５  前方収納部（フィルタ常設部）
１０６  後方収納部（フィルタ収納部）
１０６ａ  後方収納経路
１０６ｂ  第１湾曲領域
１０６ｃ  第２湾曲領域
１０８  ブラシ（清掃部材）
【図１】
0004849079.tif 000002
【図２】
0004849079.tif 000003
【図３】
0004849079.tif 000004
【図４】
0004849079.tif 000005
【図５】
0004849079.tif 000006
【図６】
0004849079.tif 000007
【図７】
0004849079.tif 000008
【図８】
0004849079.tif 000009
【図９】
0004849079.tif 000010
【図１０】
0004849079.tif 000011
【図１１】
0004849079.tif 000012
【図１２】
0004849079.tif 000013
【図１３】
0004849079.tif 000014
【図１４】
0004849079.tif 000015
【図１５】
0004849079.tif 000016
【図１６】
0004849079.tif 000017
【図１７】
0004849079.tif 000018
【図１８】
0004849079.tif 000019
【図１９】
0004849079.tif 000020
【図２０】
0004849079.tif 000021
【図２１】
0004849079.tif 000022
【図２２】
0004849079.tif 000023
【図２３】
0004849079.tif 000024
【図２４】
0004849079.tif 000025
【図２５】
0004849079.tif 000026
【図２６】
0004849079.tif 000027
【図２７】
0004849079.tif 000028
【図２８】
0004849079.tif 000029
【図２９】
0004849079.tif 000030
【図３０】
0004849079.tif 000031
【図３１】
0004849079.tif 000032
【図３２】
0004849079.tif 000033
【図３３】
0004849079.tif 000034
【図３４】
0004849079.tif 000035
【図３５】
0004849079.tif 000036
【図３６】
0004849079.tif 000037
【図３７】
0004849079.tif 000038
【図３８】
0004849079.tif 000039